(57)【要約】【課題】経管栄養時に経管栄養剤を注入する経管栄養注入装置の使い勝手を向上させること。【解決手段】本発明では、ケーシング（２）に経管栄養剤バッグ（４）とエアーバッグ（３）を収容するとともに、エアーバッグ（３）に給気ポンプ（ＰＩ）を接続し、給気ポンプ（ＰＩ）でエアーバッグ（３）に空気を供給して膨張したエアーバッグ（３）の圧力で経管栄養剤バッグ（４）から経管栄養剤を注入できるようにした経管栄養注入装置（１）において、給気ポンプ（ＰＩ）を駆動してエアーバッグ（３）の内部の圧力が所定の上限圧力（ＰＵ）に達した場合に給気ポンプ（ＰＩ）を停止し、所定の経過時間（ｔ）後にエアーバッグ（３）の内部の圧力が所定の圧力降下幅（ΔＰ）以上低下した場合には再び給気ポンプ（ＰＩ）を駆動することにした。【選択図】図３
2014212803.tif 000002
【特許請求の範囲】
【請求項１】
ケーシングに経管栄養剤バッグとエアーバッグを収容するとともに、エアーバッグに給気ポンプを接続し、給気ポンプでエアーバッグに空気を供給して膨張したエアーバッグの圧力で経管栄養剤バッグから経管栄養剤を注入できるようにした経管栄養注入装置において、
給気ポンプを駆動してエアーバッグの内部の圧力が所定の上限圧力に達した場合に給気ポンプを停止し、
所定の経過時間後にエアーバッグの内部の圧力が所定の圧力降下幅以上低下した場合には再び給気ポンプを駆動することを特徴とする経管栄養注入装置。
【請求項２】
エアーバッグの内部の圧力が低下してから所定の経過時間を計測することを特徴とする請求項１に記載の経管栄養注入装置。
【請求項３】
エアーバッグの内部の圧力が１回目に所定の上限圧力に達した場合には、エアーバッグの内部の圧力の低下から所定の経過時間を計測し、２回目以降に所定の上限圧力に達した場合には、上限圧力に達した直後から所定の経過時間を計測することを特徴とする請求項１に記載の経管栄養注入装置。
【請求項４】
ケーシングを剛性体で形成し、ケーシングとエアーバッグとの間に経管栄養剤バッグを収容するように構成したことを特徴とする請求項１〜請求項３のいずれかに記載の経管栄養剤注入装置。
【発明の詳細な説明】
【技術分野】
【０００１】
本発明は、経管栄養剤バッグから経管栄養剤を患者に注入できるようにした経管栄養注入装置に関するものである。
【背景技術】
【０００２】
経管栄養では、経管栄養剤バッグに充填された経管栄養剤を患者の体内に注入する。その際に、従来においては、介護者が経管栄養剤バッグを手で繰返し押圧して、経管栄養剤バッグから経管栄養剤を注入していた。
【０００３】
しかしながら、介護者が手作業で経管栄養剤を注入する作業は、介護者に多大な負担がかかるため、機械的に経管栄養剤バッグから経管栄養剤を患者に注入できるようにした経管栄養注入装置が開発されている。従来の経管栄養注入装置では、布袋状の保持具に経管栄養剤バッグとエアーバッグを収容するとともに、エアーバッグに給気ポンプを接続し、給気ポンプでエアーバッグに空気を供給して膨張したエアーバッグの圧力で経管栄養剤バッグから経管栄養剤を注入できるようにしている（たとえば、特許文献１参照。）。
【先行技術文献】
【特許文献】
【０００４】
【特許文献１】特開２０１１−２４８１７号公報
【発明の概要】
【発明が解決しようとする課題】
【０００５】
ところが、上記従来の経管栄養注入装置では、給気ポンプを駆動してエアーバッグに空気を供給し、その後、エアーバッグの内部の圧力が目標上限値に達した時に給気ポンプを停止し、更に、エアーバッグの内部の圧力が目標下限値に達した時に再び給気ポンプを駆動していた。
【０００６】
そのため、経管栄養を開始した直後のように経管栄養剤バッグに多くの経管栄養剤が残留している場合には、エアーバッグの内部の圧力が短時間で目標下限値に達することになり、給気ポンプの駆動と停止が頻繁に繰返し行われてしまい、給気ポンプが故障するおそれがあった。
【０００７】
一方、経管栄養の終了間際のように経管栄養剤バッグに経管栄養剤がほとんど残留していない場合には、エアーバッグの内部の圧力がなかなか目標下限値に達しないことになり、給気ポンプを停止して経管栄養を終了することができず、使い勝手が良好なものではなかった。
【０００８】
また、従来の経管栄養注入装置では、可撓性を有する布製の保持具で経管栄養剤バッグとエアーバッグとを保持していたために、エアーバッグの膨張に伴って保持具自体が変形してしまい、エアーバックの内部の圧力を正確に測定することができなかった。
【課題を解決するための手段】
【０００９】
そこで、請求項１に係る本発明では、ケーシングに経管栄養剤バッグとエアーバッグを収容するとともに、エアーバッグに給気ポンプを接続し、給気ポンプでエアーバッグに空気を供給して膨張したエアーバッグの圧力で経管栄養剤バッグから経管栄養剤を注入できるようにした経管栄養注入装置において、給気ポンプを駆動してエアーバッグの内部の圧力が所定の上限圧力に達した場合に給気ポンプを停止し、所定の経過時間後にエアーバッグの内部の圧力が所定の圧力降下幅以上低下した場合には再び給気ポンプを駆動することにした。
【００１０】
また、請求項２に係る本発明では、前記請求項１に係る本発明において、エアーバッグの内部の圧力が低下してから所定の経過時間を計測することにした。
【００１１】
また、請求項３に係る本発明では、前記請求項１に係る本発明において、エアーバッグの内部の圧力が１回目に所定の上限圧力に達した場合には、エアーバッグの内部の圧力の低下から所定の経過時間を計測し、２回目以降に所定の上限圧力に達した場合には、上限圧力に達した直後から所定の経過時間を計測することにした。
【００１２】
また、請求項４に係る本発明では、前記請求項１〜請求項３のいずれかに係る本発明において、ケーシングを剛性体で形成し、ケーシングとエアーバッグとの間に経管栄養剤バッグを収容するように構成することにした。
【発明の効果】
【００１３】
そして、本発明では、以下に記載する効果を奏する。
【００１４】
すなわち、本発明では、ケーシングに経管栄養剤バッグとエアーバッグを収容するとともに、エアーバッグに給気ポンプを接続し、給気ポンプでエアーバッグに空気を供給して膨張したエアーバッグの圧力で経管栄養剤バッグから経管栄養剤を注入できるようにした経管栄養注入装置において、給気ポンプを駆動してエアーバッグの内部の圧力が所定の上限圧力に達した場合に給気ポンプを停止し、所定の経過時間後にエアーバッグの内部の圧力が所定の圧力降下幅以上低下した場合には再び給気ポンプを駆動することにしているために、経管栄養を開始した直後のように経管栄養剤バッグに多くの経管栄養剤が残留している場合であっても、給気ポンプの駆動と停止が頻繁に繰返し行われることがなく、経管栄養注入装置の故障を防止することができる。また、経管栄養の終了間際のように経管栄養剤バッグに経管栄養剤がほとんど残留していない場合であっても、所定時間経過後に給気ポンプを停止して経管栄養を終了することができ、使い勝手を良好なものとすることができる。
【図面の簡単な説明】
【００１５】
【図１】本発明に係る経管栄養注入装置を示す平面断面図。
【図２】同側面断面図。
【図３】経管栄養注入装置の制御を示すフローチャート。
【図４】経管栄養注入装置による注入時の圧力と時間の関係を示すグラフ。
【発明を実施するための形態】
【００１６】
以下に、本発明に係る経管栄養注入装置の具体的な構成について図面を参照しながら説明する。
【００１７】
図１及び図２に示すように、経管栄養注入装置１は、中空箱型状のケーシング２の内側下部に膨張・収縮自在の矩形平面を有する袋状のエアーバッグ３を載置し、エアーバッグ３の上部に矩形平面を有する袋状の経管栄養剤バッグ４を収容する。
【００１８】
ケーシング２は、前端上部に注入管５を取付けており、注入管５の基端部に経管栄養剤バッグ４の頂部の注入口６を着脱自在に取付けている。なお、注入管５は、先端部を患者に接続するとともに、中途部に開閉弁を取付けている。
【００１９】
また、ケーシング２は、後端下部に連結管７を取付けており、連結管７の先端部にエアーバッグ３を連通連結するとともに、連結管７の基端部に給気制御装置８を接続している。
【００２０】
ここで、ケーシング２は、下方を開口した上カバー９と上方を開口した下カバー10とで剛性体からなる中空箱型形状に形成されており、中空部の容積変動を抑制した構造とし、ケーシング２（上下カバー9,10）の後方を前方よりも低くして側面視で台形断面状の中空部を形成している。そして、ケーシング２は、中空部に経管栄養剤バッグ４とエアーバッグ３とを上下に並べて収容し、エアーバッグ３が膨張した状態において、エアーバッグ３が下カバー10と経管栄養剤バッグ４とに密着するとともに、経管栄養剤バッグ４がエアーバッグ３と上カバー９とに密着して、エアーバッグ３の膨張による圧力が経管栄養剤バッグ４にロスなく印加されるようにしている。また、エアーバッグ３の前端部を経管栄養剤バッグ４の前端部（頂部）よりも後方側（底側）にずらすとともに、エアーバッグ３の後端部を経管栄養剤バッグ４の後端部（底部）よりも後方側にずらして配置することで、エアーバッグ３を膨張させることで経管栄養剤バッグ４から経管栄養剤を良好に流出させて経管栄養剤バッグ４の底部に経管栄養剤が残留しないようにしている。
【００２１】
エアーバッグ３は、給気制御装置８によって膨張と収縮が制御されており、給気制御装置８から連結管７を介して給気されることで膨張し、一方、給気制御装置８から連結管７を介して排気されることで収縮する。
【００２２】
給気制御装置８は、連結管７に給気ポンプPIと排気ポンプPOと安全弁Ｖと圧力センサーＳを並列に接続している。給気ポンプPIと排気ポンプPOと圧力センサーＳには、コントローラＣが接続されている。コントローラＣには、スイッチSWとタイマーＴが接続されている。
【００２３】
ここで、給気ポンプPIは、外部の空気をエアーバッグ３に供給してエアーバッグ３を膨張させる。排気ポンプPOは、エアーバッグ３から空気を外部に排出してエアーバッグ３を強制的に収縮させる。安全弁Ｖは、エアーバッグ３の内部の圧力が所定値を超えた場合に自動的に開放されて、エアーバッグ３の空気を外部に排出してエアーバッグ３を収縮させる。圧力センサーＳは、コントローラＣの指示にしたがって連結管７を介してエアーバッグ３の内部の圧力を計測する。コントローラＣは、内蔵した記録媒体に記録したプログラムにしたがって経管栄養注入装置１の駆動を制御する。スイッチSWは、各種の設定値をコントローラＣに入力する。タイマーＴは、コントローラＣの指示にしたがって時間を計測する。
【００２４】
経管栄養注入装置１は、以上に説明したように構成しており、コントローラＣによって以下に説明するように動作する（図３及び図４参照）。
【００２５】
まず、経管栄養注入装置１は、給気ポンプPIを駆動させ、給気ポンプPIからエアーバッグ３に空気を供給してエアーバッグ３を膨張させてエアーバッグ３の内部の圧力を上昇させる。
【００２６】
その後、経管栄養注入装置１は、圧力センサーＳでエアーバッグ３の内部の圧力を計測し、予めスイッチSWによって設定しておいた所定の上限圧力PUに達するまで給気ポンプPIの駆動を続け、上限圧力PUに達した場合には給気ポンプPIを停止させる。
【００２７】
そして、経管栄養剤バッグ４に接続された注入管５の開閉弁を開放すると、エアーバッグ３で押圧された経管栄養剤バッグ４から注入管５を介して患者の体内へと経管栄養剤が注入される。
【００２８】
すると、経管栄養剤バッグ４の容積が減少することに伴ってエアーバッグ３の内部の圧力が低下する。
【００２９】
経管栄養注入装置１では、圧力センサーＳでエアーバッグ３の内部の圧力を計測しており、エアーバッグ３の内部の圧力が低下したことを検出した場合には、タイマーＴを始動して時間の計測を開始する。
【００３０】
その後、予めスイッチSWによって設定しておいた所定の経過時間ｔが経過した場合には、タイマーＴを停止して経過時間の計測を終了する。
【００３１】
そして、経管栄養注入装置１は、圧力センサーＳでエアーバッグ３の内部の圧力を計測し、予めスイッチSWによって設定しておいた所定の圧力降下幅ΔＰよりもエアーバッグ３の内部の圧力が低下している場合には、再び給気ポンプPIを駆動させ、上記動作を繰返し行う。
【００３２】
一方、経管栄養注入装置１は、予めスイッチSWによって設定しておいた所定の圧力降下幅ΔＰよりもエアーバッグ３の内部の圧力が低下していない場合には、排気ポンプPOを駆動させて、エアーバッグ３から空気を強制的に排出してエアーバッグ３を収縮させてエアーバッグ３の内部の圧力を零にし、経管栄養剤の注入を停止する。
【００３３】
なお、タイマーＴによる経過時間ｔの計測は、エアーバッグ３の内部の圧力の低下から計測を開始しているが、上限圧力PUに達した直後から計測を開始してもよく、また、エアーバッグ３の内部の圧力が１回目に所定の上限圧力PUに達した場合には、エアーバッグ３の内部の圧力の低下から所定の経過時間ｔを計測し、２回目以降に所定の上限圧力PUに達した場合には、上限圧力PUに達した直後から所定の経過時間ｔを計測するようにしてもよい。
【００３４】
また、所定の圧力降下幅ΔＰは、直接圧力差を設定してもよく、所定の下限圧力PDを設定することで上限圧力PUと下限圧力PDとの差を圧力降下幅ΔＰとしてもよい。
【００３５】
さらに、エアーバッグ３の内部の圧力が所定の圧力降下幅ΔＰよりも低下した時に直ちに経管栄養剤の注入を停止してもよく、エアーバッグ３の内部の圧力が所定の圧力降下幅ΔＰよりも所定の回数連続して低下した場合に経管栄養剤の注入を停止するようにしてもよい。
【００３６】
経管栄養剤の注入を停止する際には、音声や光などで報知するようにしてもよい。また、経過時間ｔの計測の回数が所定の回数よりも少ない時にエアーバッグ３の内部の圧力が所定の圧力降下幅ΔＰよりも低下した場合には、経管栄養剤の供給に異常があるとして警報を発するようにしてもよい。
【００３７】
以上に説明したように、上記経管栄養注入装置１では、給気ポンプPIを駆動してエアーバッグ３の内部の圧力が所定の上限圧力PUに達した場合に給気ポンプPIを停止し、所定の経過時間ｔが経過した後にエアーバッグ３の内部の圧力が所定の圧力降下幅ΔＰ以上低下した場合には再び給気ポンプPIを駆動するように構成している。
【００３８】
そのため、上記構成の経管栄養注入装置１では、経管栄養を開始した直後のように経管栄養剤バッグ４に多くの経管栄養剤が残留している場合であっても、給気ポンプPIの駆動と停止が頻繁に繰返し行われることがなく、経管栄養注入装置１の故障を防止することができる。また、経管栄養の終了間際のように経管栄養剤バッグ４に経管栄養剤がほとんど残留していない場合であっても、所定時間経過後に給気ポンプPIを停止して経管栄養を終了することができ、使い勝手を良好なものとすることができる。
【００３９】
また、上記経管栄養注入装置１では、ケーシング２を剛性体で形成し、ケーシング２とエアーバッグ３との間に経管栄養剤バッグ４を並べて密着させて収容しているために、エアーバッグ３を膨張させた際にケーシング２が変形することが無く、エアーバッグ３の内部の圧力を圧力センサーＳで正確に計測することができる。
【００４０】
さらに、上記経管栄養注入装置１では、経過時間ｔや上限圧力PUや圧力降下幅ΔＰ（下限圧力PD）を変更できるようにしているため、経管栄養剤を注入する速度や圧力などを自由に変更することができ、より一層使い勝手を良好なものとすることができる。
【符号の説明】
【００４１】
１  経管栄養注入装置              ２  ケーシング
３  エアーバッグ                  ４  経管栄養剤バッグ
５  注入管                        ６  注入口
７  連結管                        ８  給気制御装置
９  上カバー                      10  下カバー
PI  給気ポンプ                    PO  排気ポンプ
Ｖ  安全弁                        Ｓ  圧力センサー
Ｃ  コントローラ                  SW  スイッチ
Ｔ  タイマー                      ｔ  経過時間
PU  上限圧力                      PD  下限圧力
ΔＰ  圧力降下幅
【図１】
2014212803.tif 000003
【図２】
2014212803.tif 000004
【図３】
2014212803.tif 000005
【図４】
2014212803.tif 000006